【事件の表示】
　特願２０１０−１５７６４７「液晶ディスプレイ」拒絶査定不服審判事件〔平成２４年　２月　２日出願公開、特開２０１２−　２２０２８〕について、次のとおり審決する。
【結　論】
　本件審判の請求は、成り立たない。
【理　由】
１　手続の経緯
　本願は、平成２２年７月１２日の出願であって、平成２７年６月８日付けで拒絶査定がなされた。
　これに対し、平成２７年９月１４日に拒絶査定不服審判が請求がされるとともに手続補正書が提出された。その後当審において、平成２８年７月２１日付けで拒絶理由が通知され、同年９月２３日に意見書が提出されたものである。
２　当審の拒絶理由
　当審において平成２８年７月２１日付けで通知した拒絶の理由の概要は、以下のとおりである。
　本願の請求項１、２に係る発明は、本願の出願前に日本国内または外国において頒布された刊行物である「特開２００７−２２７２８６号公報」（以下「引用文献１」という。）に記載された発明並びに本願の出願前に日本国内または外国において頒布された刊行物である「特開２００８−１１２１５４号公報」（以下「引用文献２」という。）の記載及び周知技術に基づいて、当業者が容易に発明をすることができたものであるから、特許法第２９条第２項の規定により特許を受けることができない。 
３　本願発明
　本願の請求項１、２に係る発明は、平成２７年９月１４日に提出された手続補正書により補正された明細書、特許請求の範囲及び図面の記載からみて、その特許請求の範囲の請求項１、２に記載されている事項により特定されるとおりのものであり、そのうちの請求項１に係る発明（以下「本願発明」という。）は、その請求項１に記載されている事項により特定される次のとおりのものである。
「【請求項１】
　カラーフィルタを備えた液晶パネルと、
　ＬＥＤ光源、当該ＬＥＤ光源から光が照射される導光板の上記液晶パネル側の面に積層されており且つ上記液晶パネル側の面に拡散ドットが形成された拡散板を有しており、当該ＬＥＤ光源から照射された光を上記液晶パネルの裏面側から上記液晶パネルへ照射するバックライトと、
　上記拡散板の上記液晶パネル側の面に積層されており量子ドットからなる蛍光体を内部に含んだ蛍光体層と、を備え、
　上記蛍光体層は、蛍光色が相互に異なる複数の上記蛍光体を混合した状態で内部に含んだものである液晶ディスプレイ。」
４　引用文献の記載と引用発明
（１）引用文献１の記載
　引用文献１には、「照明装置、及びこれを用いた表示装置」（発明の名称）に関して、図１〜１５とともに、以下の事項が記載されている（下線は当審で付加した。以下同じ。）。
ア　「【請求項１】
　水平面に交差する入光面により包囲される収納空間が所定位置に開設される導光板と、
　前記収納空間内に位置するように配設される光源と、
　前記光源と対面するように配置され、前記光源が発する光の少なくとも一部を反射する反射部材とを備える直下型の照明装置。
…（略）…
【請求項１１】
　
前記光源は、白色光でない特定色の光を発し、前記特定色の光の光路の途中に前記特定色の光を白色光へ変更する着色層が設けられている
【請求項１２】
　請求項１〜１１のいずれか１項に記載の構成の照明装置と、前記照明装置により照明される非自発光型の表示素子を備えることを特徴とする
表示装置
イ　「【背景技術】
【０００２】
　非自発光型の表示素子である
液晶表示パネル（以下「ＬＣＤ」という
ウ　「【発明の効果】
【０００９】
  本発明の直下型バックライトモジュールによれば、光源が発する光が、反射部材で反射され入光面を介して横方向へ進み導光板内へ導かれる。さらに、この光は、導光板内で様々な角度で屈折し、結局、
導光板から面状で均一性が高い光の束となって、ＬＣＤへ向け出射される
エ　「【実施例】
【００１４】
　図１は、本実施例の直下型バックライトモジュールの断面図である。図示するように、
直下型バックライトモジュール１０１は、ＬＣＤ１０２の直下に配置され
光源１
【００１５】
　さて、バックライトモジュール１０１を構成する筐体３は、その内面が鏡面となっており、筐体３の内部には、次の要素が配設される。即ち、基板２は、その表面が反射面となっている。
光源１（発光ダイオード）
導光板７
拡散板４
オ　「【００２１】
　図７に本発明の導光板の断面を示す。図示するように、拡散部１０（導光板７の上面及び底面の少なくとも一方）には、光を拡散する加工を施す。図７（ａ）では導光板７の上面に、図７（ｂ）では導光板７の下面に、同形状及び一定ピッチで、複数のＶ字溝を形成してある。このＶ字溝の付近では、Ｖ字に傾斜する傾斜面からのみ光が出射され、水平な箇所からは光が反射され導光板７内へ戻る。これは、出射されるか否かは、入射角の大小関係により定まる。勿論、溝をＵ字状とするなど種々変更可能である。
【００２２】
…（略）…あるいは、図７（ｅ）に示すように、溝を形成せず、導光板７の拡散部１０（上面及び底面の少なくとも一方）を粗面としても良い。粗面加工には、例えばサンドブラスト法が使用できる。粗面のパターンは、任意として差し支えない。
【００２３】
　さて、上述のように構成すると、図２（ｃ）に示したように、光源１から出射された光の大半は、その指向特性により、反射部材６に当たって反射し、入光面５を介して導光板７内へ導かれる。導光板７内に至った光は、導光板７内で適宜反射しながら、最終的には導光板７の上面の拡散部１０から上向きに出射する。これにより、図８（ａ）に示すように、
点光源である光源１の光は、面状の光に変更され、拡散板４で拡散された後、ＬＣＤ１０２を均一性高く照らすことになる
したがって、ＬＣＤ１０２の表示画面の輝度ムラが少なくなると共に、バックライトモジュール１０１の厚さを従来技術よりも小さくすることができ、薄型テレビジョン装置やパーソナルコンピュータのディスプレイ等の用途に適した、直下型バックライトモジュールが得られる
【００２４】
…（略）…
【００２５】
　さて以上は、光源１が白色光を発光する場合について述べた。図９に本発明に用いる光源の断面図を模式的に示す。図９（ａ）に示すように、光源１は青色発光素子をパッケージに収納すると共に、青色発光素子の周囲を黄色蛍光体（ＹＡＧ）を混ぜたシリコン樹脂で包囲して構成してあるが、図９（ｂ）に示すように、シリコン樹脂に緑色蛍光体及び赤色蛍光体を混ぜても良い。また、
光源１として
青色光を発光する発光ダイオードを使用することもできる
青色光の光路の途中に青色光を白色光へ変更する着色層を設ければよい
着色層の形態
入光面５に第２蛍光体層１３（緑色）及び第３蛍光体層１４（赤色）を追加すると良い
第２蛍光体層１３（緑色）及び第３蛍光体層１４（赤色）とは
互いに混ぜて１つの層としてもよい
【００２６】
　これらの層には、次表において「黄色蛍光体」、「赤色蛍光体」、「緑色蛍光体」の各欄に記載された材料系を使用できる。
【００２７】
【表１】
（略）
【００２８】
　さらに、
層１２〜１４は
拡散板４の上面のみに設けてもよい
カ　「【図面の簡単な説明】
【００３０】
【図１】本発明の直下型バックライトモジュールの断面図である。
【図２】（ａ）本発明の直下型バックライトモジュールの平面図、（ｂ）Ａ−Ａ’線断面図、（ｃ）光路の例示図である。
…（略）…
【図１０】本発明の着色層の断面図である。
【図１１】本発明の着色層の断面図である。
【図１２】本発明の着色層の断面図である。」
キ　図１、２、１０〜１２は、それぞれ以下のとおりである。
　また、上記摘記事項エを勘案すると、図１から、バックライトモジュール１０１は、光源１、導光板７、及び拡散板４を備え、その拡散板４は、導光板７の液晶表示パネル（ＬＣＤ）１０２側の面に設けられていることが見てとれる。
　図１２（ａ）では、拡散板４は、導光板７の上に積層され、層１２は反射部材６の下面に設けられていることが見てとれる。
　図１２（ｂ）では、拡散板４は、導光板７の上に積層され、層１３は反射部材６の下面に設けられ、層１４は拡散板４の上面に設けられていることが見てとれる。
（２）引用発明
ア　上記「（１）引用文献１の記載」の摘記事項オの段落【００２５】には、光源１として、青色光を発光する発光ダイオードを使用することもでき、この場合、青色光の光路の途中に青色光を白色光へ変更する着色層を設ければよく、この着色層の形態として、入光面５に第２蛍光体層１３（緑色）及び第３蛍光体層１４（赤色）を追加すると良く、第２蛍光体層１３（緑色）及び第３蛍光体層１４（赤色）とは、互いに混ぜて１つの層としてもよい旨が開示されている。
　また、摘記事項オの段落【００２８】には、「層１２〜１４」の配置位置について、「図１２（ａ）に示すように反射部材６の下面に設けても良いし、反射部材６の下面とともに拡散板４の上面に設けても良い。その他
拡散板４の上面のみに設けてもよい
　また、摘記事項キから、図１２（ａ）では、
拡散板４は、導光板７の上に積層
拡散板４は、導光板７の上に積層
層１４は拡散板４の上面に積層されている
　すなわち、図１２（ａ）及び層１４が拡散板４の上面に積層されている図１２（ｂ）のいずれにおいても、
拡散板４は、導光板７の上に積層されている
イ　更に、摘記事項キから、図１では、バックライトモジュール１０１は、光源１、導光板７、及び拡散板４を備え、その
拡散板４は、導光板７の液晶表示パネル（ＬＣＤ）１０２側の面に
ウ　以上によると、引用文献１には、拡散板４が、導光板７のＬＣＤ１０２側の上に積層されているものであって、段落【００２５】の「光源１として、青色光を発光する発光ダイオードを使用」し、「着色層」を設け、「着色層」の形態として、「第２蛍光体層１３（緑色）及び第３蛍光体層１４（赤色）を追加」し、「第２蛍光体層１３（緑色）及び第３蛍光体層１４（赤色）とは、互いに混ぜて１つの層」とし、当該「層」の配置位置として、段落【００２８】の「拡散板４の上面のみに」設けるものが示されているといえる。
エ　したがって、上記「（１）引用文献１」の摘記事項ア〜キ及び上記ア〜ウをまとめると、引用文献１には、上記ウの場合に関して、以下の発明（以下「引用発明」という。）が記載されているものと認められる。
「液晶表示パネル（ＬＣＤ）１０２と、光源１、導光板７、及び拡散板４を備える直下型バックライトモジュール１０１とを備える表示装置であって、
　直下型バックライトモジュール１０１は、ＬＣＤ１０２の直下に配置され、
　バックライトモジュール１０１の拡散板４は、導光板７のＬＣＤ１０２側の面に積層されており、
　光源１が発する光は、面状の光に変更され、拡散板４で拡散された後、ＬＣＤ１０２を均一性高く照らし、
　光源１として、青色光を発光する発光ダイオードを使用することができ、青色光の光路の途中に青色光を白色光へ変更する着色層を設け、
　着色層の形態は、第２蛍光体層１３（緑色）及び第３蛍光体層１４（赤色）を追加すると良く、第２蛍光体層１３（緑色）及び第３蛍光体層１４（赤色）とは、互いに混ぜて１つの層としてもよく、
　第２蛍光体層１３及び第３蛍光体層１４は、拡散板４の上面のみに設けてもよい、表示装置。」 
（３）引用文献２の記載
　引用文献２には、「ディスプレイ」（発明の名称）に関して、図１〜１２とともに、以下の事項が記載されている。
ア　「【技術分野】
【０００１】
　本発明は、例えば液晶ディスプレイ（ＬＣＤ）などのようなディスプレイに関するものであり、特に、バックライトを用いたディスプレイに関するものである。そのようなディスプレイは、例えば、携帯電話、テレビ、コンピュータ・モニタなどの中に使用される。」
イ　「【発明の開示】
【００１９】
　本発明は、光源と、該光源からの光路中に配置された画像表示パネルとを含むディスプレイであって、上記光源が、一次の波長範囲(primary wavelength range)の光を放射するための一次光源と、該一次光源からの光によって照らされたときに
上記一次の波長範囲と異なる波長範囲の光を再放射するための再放射材料
上記再放射材料が
少なくとも１つの第１のナノ蛍光体材料を含み
【００２０】
　
ナノ蛍光体は
ナノ粒子
ナノ蛍光体は
コロイド状量子ドット
を含みうる
【００２１】
　ナノ粒子は、典型的には、１ｎｍから２００ｎｍまでの範囲内のサイズを有している。このスケールで、ナノ粒子のエネルギー準位は、原子のエネルギー準位に関しては離散的である。例として、コロイド状量子ドットの場合には、量子ドットの直径は、典型的には２〜１０ｎｍ（あるいは直径が１０〜５０原子）である。
【００２２】
　「位置合わせされている」とは、ナノ蛍光体材料の発光スペクトル中のピークが、カラーフィルタの狭透過帯域または狭吸収透過窓の範囲内において中央に位置する(centered)か、あるいは実質的に中央に位置する(substantially centred)ことを意味する。
…（略）…
【００２５】
　
再放射源としてナノ蛍光体材料を使用することは、２つの利点をもたらす
第１に、ナノ蛍光体材料の発光スペクトルは、狭帯域であり
第２に、ナノ蛍光体材料の発光スペクトルのピーク波長（およびさらに輝線幅）は、適切なナノ蛍光体材料の使用によって（例えば、ナノ蛍光体材料中における、量子ドットのサイズ、または量子ドットの粒度分布を制御することによって）、任意の所望の値となるように選択できる
ウ　「【００４８】
　上記ディスプレイは、上記一次光源から光を受光するための導光体を含んでいてもよい。
【００４９】
　
上記ナノ蛍光体材料（ナノ蛍光体材料が１つの場合）または各ナノ蛍光体材料（ナノ蛍光体材料が複数の場合）が、上記導光体の光放出面上に配置されていてもよい
エ　「【発明を実施するための最良の形態】
【００５６】
　本発明の実施形態について、一例として図面を参照しながら以下に説明する。
【００５７】
　図３は、本発明の実施形態に係るディスプレイ１１の概略断面図である。ディスプレイ１１は、
光源
と、該光源からの光路中に配置された画像表示パネル２とを含んでいる
画像表示パネル２は
液晶層などのような画像表示層１０を含んでいる
【００５８】
　ディスプレイ１１は、
カラー表示を提供するように意図されており、それゆえ
カラーフィルタ９が設けられている
【００５９】
　カラーフィルタ９（後段でさらに詳細に説明する）の性質は別として、画像表示パネル２は、任意の従来の表示パネルとすることができる。本発明は、概ね任意の適切な画像表示層１０に適用できる。
【００６０】
　ディスプレイ１１において、
上記光源は
一次光源６と、一次光源６からの光路中に設けられた再放射材料７とを含んでいる
一次光源からの光は、再放射材料に吸収され、異なる波長範囲で再放射される
【００６１】
　図３は、一次光源６から分離された再放射材料７を示す。しかしながら、例えば図５（ａ）に示すように、再放射材料７は、一次光源６上に直接、あるいは一次光源６を直接覆うように、配置することができる。
【００６２】
　一次光源６は、１つ以上の発光ダイオード（ＬＥＤ）を含むことができる。再放射材料の性質については、後段でより詳細に説明する。
【００６３】
　
ディスプレイ１１は
光学系をさらに含んでいる
上記光学系は
導光体８を含んでいる
【００６４】
　図３は、透過型画像表示パネル２を有するディスプレイ１１において具現化された発明を示し、透過型画像表示パネル２中においては、図３のディスプレイ１１の動作原理が図１（ａ）のディスプレイ１の動作原理に概ね対応するように、上記光源と導光体８とは一緒になって、バックライトを構成する。しかしながら、本発明は、図３中に示す特定の構成に限定されるものではなく、上記光源から画像表示パネル２の領域内への配光に適したいかなる光学系も使用できる。実際、本発明は、透過型ディスプレイに限定されるものではなく、例えば、暗い周囲照明条件下でのみ一次光源６が駆動され、明るい周囲照明条件下では画像を与えるために周囲光が利用される半透過型ディスプレイに適用できる。
【００６５】
　再放射材料７は、通常、一次光源６からの光によって照らされたときに、互いに異なり、かつ一次光源６の放射の波長範囲と異なる複数の波長範囲の光を放射する２つ以上の異なる材料を含むであろう。通常、上記光源が白色光出力を与えることが望ましいであろう。これは、スペクトルの赤色領域、緑色領域、および青色領域でそれぞれ再放射する３つの異なる材料を含む再放射材料７を使用することで達成できる。これは、白色光出力を与えるであろう。また、一次光源６は、可視スペクトル領域外の光（例えば紫外（ＵＶ）領域の光）を放射してもよい（一次光源６の出力が白色の全光出力に寄与する必要がないため）。
【００６６】
　それに代えて、上記光源からの光出力は、一次光源６からの光出力のうちで再発光領域７に吸収されない部分を含んでいてもよい。そのような例では、
再放射材料７は
スペクトルの赤色領域および緑色領域で再放射する材料を含んでいてもよく、一次光源６は、スペクトルの青色領域の光を放射してもよい
【００６７】
　本発明によれば、
上記再放射材料は、少なくとも１つのナノ蛍光体材料を含んでいる
【００６８】
　さらに、本発明に係る、少なくとも１セットのカラーフィルタ９は、狭透過帯域を有するカラーフィルタを含んでいる。上記狭透過帯域フィルタは、好ましくは透過率の半値全幅（ＦＷＨＭ）が１００ｎｍ以下であり、特に好ましくはＦＷＨＭが８０ｎｍ以下である。
【００６９】
　知られているように、
ナノ蛍光体材料の発光波長は、例えば量子ドットのコロイド溶液であるナノ蛍光体材料中の量子ドットのサイズを制御することによって、任意の所望の値に「調整する(tune)」ことができる
ナノ蛍光体材料の発光スペクトルが対応するカラーフィルタの透過窓に位置合わせされるか、あるいは実質的に位置合わせされるように、ナノ蛍光体材料の発光スペクトルが「調整されている(tuned)」
【００７０】
　
図４（ａ）は
再放射材料７の発光スペクトル
【００７１】
　
図４（ｂ）は
狭帯域カラーフィルタである実施形態についてのカラーフィルタ９Ｒ，９Ｂ，９Ｇの透過スペクトル
【００７２】
　さらに注目すべきは、
カラーフィルタが図４（ｂ）中でピーク透過率を示す波長が、図４（ａ）の発光スペクトルがピーク透過率に対応する最大値を持つ波長と実質的に等しい
「位置合わせされている」
【００７３】
　
図４（ｃ）は、図４（ｂ）中に示す特性を有するカラーフィルタによって透過される、図４（ａ）の発光スペクトルからの光の強度
図４（ａ）のスペクトルのピーク波長の光は、ほとんどカラーフィルタに吸収されていない。その結果、上記ディスプレイは、高い相対効率を有しており
上記効率は、上記光源に従来の蛍光体を使用し、かつ図２（ｂ）中に示す狭帯域カラーフィルタを含む比較用のディスプレイと比較して、遥かに大きい
【００７４】
…（略）…
【００７５】
　
図５（ａ）は、本発明のさらなる実施形態に係るディスプレイの概略図
【００７６】
　この実施形態において、一次光源６は、スペクトルの青色領域の光を放射するＬＥＤである。再放射媒体７は、赤色のナノ蛍光体材料および緑色のナノ蛍光体材料を含んでいる。したがって、上記光源からの光出力は、赤色および緑色のナノ蛍光体材料によって放射された赤色光および緑色光と、上記ＬＥＤからの青色光とを含んでいる。上記ＬＥＤからの光出力の一部は、吸収されることなくナノ蛍光体材料を通り抜け、それゆえ全出力に寄与する。
【００７７】
　この実施形態において、上記ＬＥＤからの青色光の波長範囲は、ＬＥＤの駆動条件を変えることによって限られた範囲で調整することができる。しかしながら、任意の青色ＬＥＤについて、青色フィルタに対する青色光の位置合わせが確実に達成されるように、その好ましい駆動条件下で上記ＬＥＤの発光波長に位置合わせされた透過帯域を有する青色フィルタを選択することが望ましい。
【００７８】
　この実施形態において、上記ディスプレイはまたもや、図５（ｂ）中に示す透過スペクトル（図４（ｂ）中に示すスペクトルに対応する）を有する狭帯域の緑色、青色、および赤色のカラーフィルタを含んでいる。この場合にもまた、このディスプレイは、高いＮＴＳＣ比および高い相対効率を与えることができる。
【００７９】
　図５（ａ）において、再放射材料７は、ナノ蛍光体材料の混合物がその中に分散されている透明マトリックス１４からなる。再放射材料７は、一次光源６を直接覆うように配置されている。しかしながら、上記光源は、図５（ａ）中に示す特定の構造に限定されるものではない。」
オ　「【００８６】
　図７（ｂ）〜図７（ｄ）は、この実施形態のディスプレイに適した、使用可能な光源を示す。図７（ｂ）は、再放射材料７が赤色、緑色、および青色の蛍光体を含み、上記一次光源がスペクトルの紫外領域の光を放射するような光源を示す。これは、図４（ａ）の光源に相当する。
図７（ｃ）の光源は、上記一次光源が青色光を放射し、上記再放射材料が赤色および緑色の蛍光体を含む図５（ａ）中に示す光源に相当する
カ　「【０１００】
　上述した実施形態において、
再放射材料７，７ａ，７ｂ，７ｃは
一次光源６と画像表示パネル２との間に再放射材料７が配置されることのみが必要である
図１０
再放射材料７は、上記導光体の出射面８ａ上に設けられ
再放射材料７によって再放射された光は、上記導光体の出射面８ａから放射され、次に、画像表示パネル２を通り抜ける
キ　上記摘記事項ア〜カから、引用文献２には、以下の「技術」が開示されている。
（ア）光源と、該光源からの光路中に配置された画像表示パネル２とを含んでいるディスプレイ１１であって、画像表示パネル２は、液晶層などのような画像表示層１０を含み、カラー表示を提供するように意図されており、それゆえ、カラーフィルタ９が設けられており、光源は、一次光源６と、一次光源６からの光路中に設けられた再放射材料７とを含んでおり、一次光源からの光は、再放射材料に吸収され、異なる波長範囲で再放射される、ディスプレイ１１（段落【００５７】、【００５８】、【００６０】）。
  
（イ）ディスプレイ１１は、一次光源から光を受光するための導光体８を含んでいること（段落【００６３】）。
  
（ウ）再放射材料は、少なくとも１つの第１のナノ蛍光体材料を含み（段落【００１９】、【００６７】）、ナノ蛍光体は、例えば、コロイド状量子ドットを含みうること（段落【００２０】）。
　
再放射源としてナノ蛍光体材料を使用することは、２つの利点をもたらし、第１に、ナノ蛍光体材料の発光スペクトルは、狭帯域であり、第２に、ナノ蛍光体材料の発光スペクトルのピーク波長（発光波長）は、例えば量子ドットのコロイド溶液であるナノ蛍光体材料中の量子ドットのサイズを制御することによって、任意の所望の値に選択する（「調整する（ｔｕｎｅ）」）ことができ、ナノ蛍光体材料の発光スペクトルが対応するカラーフィルタの透過窓に位置合わせされるように、ナノ蛍光体材料の発光スペクトルが「調整されている（ｔｕｎｅｄ）」
  
（エ）再放射材料７は、スペクトルの赤色領域および緑色領域で再放射する材料を含んでいてもよく、一次光源６は、スペクトルの青色領域の光を放射してもよいこと（段落【００６６】）。
 　図５（ａ）に示される「さらなる実施形態に係るディスプレイ」では、一次光源６は、スペクトルの青色領域の光を放射するＬＥＤであり、
再放射材料（再放射媒体）７は、赤色のナノ蛍光体材料および緑色のナノ蛍光体材料を含んでいる
  
（オ）ナノ蛍光体材料（ナノ蛍光体材料が１つの場合）または各ナノ蛍光体（ナノ蛍光体材料が複数の場合）が、導光体の光放出面に配置されていてもよいこと（段落【００４９】、【０１００】、図１０）。
５　対比
（１）本願発明と引用発明との対比
　本願発明と引用発明とを対比する。
ア　引用発明の「液晶表示パネル（ＬＣＤ１０２）」、「導光板７」、「拡散板４」、「直下型バックライトモジュール」及び「表示装置」は、それぞれ本願発明の「液晶パネル」、「導光板」、「拡散板」、「バックライト」及び「液晶ディスプレイ」に相当する。
イ　引用発明では、表示装置は、「光源１」を備え、「光源１として、青色光を発光する発光ダイオードを使用することができ」るものであるから、引用発明の「光源１」は、本願発明の「ＬＥＤ光源」に相当する。
ウ（ア）次に、本願発明では、「ＬＥＤ光源、当該ＬＥＤ光源から光が照射される導光板の上記液晶パネル側の面に積層されている拡散板を有しており、当該ＬＥＤ光源から照射された光を上記液晶パネルの裏面側から上記液晶パネルへ照射するバックライト」を備える点について対比する。
（イ）引用発明は、「光源１、導光板７、及び拡散板４を備える直下型バックライトモジュール１０１」を備え、「直下型バックライトモジュール１０１は、ＬＣＤ１０２の直下に配置され、光源１が発する光は、面状の光に変更され、拡散板４で拡散された後、ＬＣＤ１０２を均一性高く照ら」すものであり、更に、上記「４（１）引用文献１の記載」の摘記事項イの段落【０００９】の「この光は、導光板内で様々な角度で屈折し、結局、
導光板から面状で均一性が高い光の束となって、ＬＣＤへ向け出射される
　したがって、引用発明において、バックライトモジュール１０１は、光源１が発する光をＬＣＤ１０２の裏面側からＬＣＤ１０２へ照らすものであるといえる。
　また、引用発明において、「バックライトモジュール１０１の拡散板４は、導光板７のＬＣＤ１０２側の面に積層されて」いるものである。
（ウ）よって、本願発明と引用発明とは、「ＬＥＤ光源、当該ＬＥＤ光源から光が照射される導光板の上記液晶パネル側の面に積層されている拡散板を有しており、当該ＬＥＤ光源から照射された光を上記液晶パネルの裏面側から上記液晶パネルへ照射するバックライト」を備える点で一致する。
エ（ア）次に、本願発明では、「上記拡散板の上記液晶パネル側の面に積層されており量子ドットからなる蛍光体を内部に含んだ蛍光体層」を備え、「上記蛍光体層は、蛍光色が相互に異なる複数の上記蛍光体を混合した状態で内部に含んだものである」点について対比する。
　
（イ）引用発明では、「光源１として、青色光を発光する発光ダイオードを使用することができ、青色光の光路の途中に青色光を白色光へ変更する着色層を設け、着色層の形態は、第２蛍光体層１３（緑色）及び第３蛍光体層１４（赤色）を追加すると良く、第２蛍光体層１３（緑色）及び第３蛍光体層１４（赤色）とは、互いに混ぜて１つの層としてもよ」いものである。
　したがって、引用発明の「着色層」は、本願発明の「蛍光体を内部に含んだ蛍光体層」に相当し、本願発明と同様に、「蛍光色が相互に異なる複数の上記蛍光体を混合した状態で内部に含んだもの」であるといえる。
（ウ）次に、蛍光体層について、本願発明では、「上記拡散板の上記液晶パネル側の面に積層されて」いる点について対比する。
　引用発明では、「着色層の形態は、第２蛍光体層１３（緑色）及び第３蛍光体層１４（赤色）を追加すると良く」、「第２蛍光体層１３及び第３蛍光体層１４は、拡散板４の上面のみに設けてもよい」ものであり、拡散板４の「上面」は「ＬＣＤ１０２側の面」である。
　また、層１４が拡散板４の上面に積層されている、引用文献１の図１２（ｂ）も参照すると、引用発明において、「着色層」は、本願発明と同様に、「拡散板の液晶パネル側の面に
積層
　したがって、引用発明において、「蛍光体層」は、本願発明と同様に、「上記拡散板の上記液晶パネル側の面」に積層されているものであるといえる。
（エ）よって、本願発明と引用発明とは、「上記拡散板の上記液晶パネル側の面に積層されており、蛍光体を内部に含んだ蛍光体層」を備え、「上記蛍光体層は、蛍光色が相互に異なる複数の上記蛍光体を混合した状態で内部に含んだものである」点で一致する。
オ　以上から、本願発明と引用発明との一致点及び相違点は次のとおりである。
＜一致点＞
「液晶パネルと、
　ＬＥＤ光源、当該ＬＥＤ光源から光が照射される導光板の上記液晶パネル側の面に積層されている拡散板を有しており、当該ＬＥＤ光源から照射された光を上記液晶パネルの裏面側から上記液晶パネルへ照射するバックライトと、
　上記拡散板の上記液晶パネル側の面に積層されており、蛍光体を内部に含んだ蛍光体層と、を備え、
　上記蛍光体層は、蛍光色が相互に異なる複数の上記蛍光体を混合した状態で内部に含んだものである液晶ディスプレイ。」
＜相違点１＞ 
　液晶パネルについて、本願発明では、「カラーフィルタを備えた」ものであるのに対し、引用発明では、液晶表示パネル（ＬＣＤ）１０２について、そのような特定はなされていない点。 
 ＜相違点２＞ 
　拡散板について、本願発明では、「上記液晶パネル側の面に拡散ドットが形成された」ものであるのに対し、引用発明では、拡散板４について、そのような特定はなされていない点。 
 ＜相違点３＞ 
　蛍光体層について、本願発明では、「量子ドットからなる蛍光体を内部に含んだ」ものであるのに対し、引用発明では、そのような特定はなされていない点。 
  
６　本願発明と引用発明との相違点についての当審の判断
　以下、相違点１〜３について検討する。
 
（１）相違点１及び相違点３について 
　相違点１及び相違点３について、まとめて検討する。
ア　先ず、相違点１について検討する。
　引用文献１の段落【００２３】（上記「４（１）引用文献１の記載」の摘記事項オを参照。）には、「点光源である光源１の光は、面状の光に変更され、拡散板４で拡散された後、ＬＣＤ１０２を均一性高く照らすことになる。したがって、ＬＣＤ１０２の表示画面の輝度ムラが少なくなると共に、バックライトモジュール１０１の厚さを従来技術よりも小さくすることができ、薄型テレビジョン装置やパーソナルコンピュータのディスプレイ等の用途に適した、直下型バックライトモジュールが得られる。」と記載されているところ、一般に、「薄型テレビジョン装置やパーソナルコンピュータ」の液晶ディスプレイにおいて、カラーフィルタを液晶パネルなどに設けて、カラー表示を行うことは常套手段（必要であれば、上記「４（３）引用文献２の記載」の摘記事項アの段落【０００１】、摘記事項エの段落【００５８】を参照。）であるから、引用文献１には、液晶表示パネル（ＬＣＤ）１０２について「カラーフィルタを備えた」ものが実質的に記載されているといえる。
　したがって、相違点１は、実質的な相違点ではない。
  
イ　次に、相違点３について検討する。 
　上記「４（３）引用文献２の記載」の摘記事項エの段落【００７０】〜【００７３】の記載を参照すると、引用文献２には、カラーフィルタの透過スペクトルを、再放射材料の発光スペクトルに位置合わせすると、カラーフィルタによって透過される再放射材料の発光スペクトルのピーク波長の光は、カラーフィルタでほとんど吸収されず、ディスプレイを高い相対効率を有するものとすることができる旨が記載されている。
　そして、効率が高いことが望ましいことは、ディスプレイに限らず、一般にいえるから、引用文献２に接した当業者であれば、引用発明において、「着色層」の発光スペクトルが対応するカラーフィルタの透過窓に位置合わせされるように、「着色層」の発光スペクトルが「調整されている（ｔｕｎｅｄ）ものとすることが望ましいことは明らかである。
　一方、引用発明において、「第２蛍光体層１３（緑色）及び第３蛍光体層１４（赤色）」とを「互いに混ぜて１つの層」とした「着色層」を、引用文献２に記載の上記の「技術」（同キ（ウ）、（エ）を参照。）における再放射材料と同様に、ナノ蛍光体材料であり、量子ドットを含むものとし、量子ドットのサイズを制御するならば、当該「着色層」の発光波長を、任意の所望の値に調整することができ、更に、その発光スペクトルが対応するカラーフィルタの透過窓に位置合わせされるように、その発光スペクトルが調整されているものとすることができることは、明らかである。
  
　よって、上記アで検討したとおり、引用文献１には、液晶表示パネル（ＬＣＤ）１０２について「カラーフィルタを備えた」ものが実質的に記載されているといえるところ、引用発明において、「着色層」の発光スペクトルを、対応するカラーフィルタの透過窓に位置合わせされるようにすべく、引用文献２の記載に基づき、「着色層」を、量子ドットを含む緑色のナノ蛍光体材料および量子ドットを含む赤色のナノ蛍光体材料を含んでいるものとすることは、当業者であれば容易になし得たことである。 
  
　以上のとおりであるから、引用発明において、引用文献２の記載に基づき、相違点３に係る本願発明の構成を採用することは、当業者であれば容易になし得たことである。
（３）相違点２について 
　液晶パネルと、光源、光源から光が照射される導光板、及び導光板の液晶パネル側の面に積層された拡散板ないし拡散シートを備えるバックライトとを備える表示装置において、拡散板ないし拡散シートの液晶パネル側の面に拡散ドットが形成されたものは、周知技術であり、例えば、上記周知例１〜３に記載されている。 
　したがって、引用発明において、上記周知技術に基づき、拡散板４として、液晶表示パネル（ＬＣＤ）１０２側の面に拡散ドットが形成されたものを採用することは、当業者であれば適宜なし得たことである。
　よって、引用発明において、上記周知技術に基づき、相違点２に係る本願発明の構成を採用することは、当業者であれば適宜なし得たことである。
  
（４）相違点１〜３についての判断のまとめ 
　以上のとおりであるから、引用発明において、引用文献２の記載及び上記周知技術に基づいて、相違点１〜３に係る本願発明の構成を採用することは、当業者であれば容易になし得たことである。 
　そして、本願発明によって当業者が予期し得ない格別の効果が奏されるとは認められず、相違点１〜３を総合判断しても、本願発明は当業者が容易に発明をすることができたものというほかない。 
　よって、本願発明は、引用発明並びに引用文献２の記載及び周知技術に基づいて、当業者が容易に発明をすることができたものである。 
（５）請求人の主張について
ア　請求人は、平成２８年９月２３日付けの意見書の「２．　拒絶理由について」において、以下のように主張している。
「（２）…第２蛍光体層１３及び第３蛍光体層１４の配置位置として、多数の配置可能位置の一つから拡散板４の上面のみを特定することは、単なる設計事項ではありません。
（３）…
（４）…、
引用発明は、３つの層（第１蛍光体層１２、第２蛍光体層１３、及び第３蛍光体層１４）を備えています。そして、…。このように、３つの層１２〜１４の各々が、様々な位置に配置可能である
３つの層１２〜１４を全て同じ位置に配置し、なお且つその同じ位置というのが拡散板４の上面となるというのは、極めて多数の配置位置候補から、唯一つの配置位置を選ぶということに他ならず
（５）　…、本願発明では、蛍光体層が内部に量子ドットからなる蛍光体を含んでおり、ＬＥＤ光源から照射された光は、量子ドットに進入する前に、拡散板によって拡散されることによって格別の技術的意義が発揮されます。
　詳述しますと、量子ドットからなる蛍光体は、…。従って、…、入射前後の光の波長変換効率が小さくなってしまいます。この波長変換効率を上げる為に、拡散板によって拡散させることで散乱させた光を蛍光体層に入射させる構成が大変有効となります。
　したがって、本願発明においては、蛍光体層が拡散板の液晶パネル側の面に積層されているという構成には格別の技術的意義があります。
　以上より、前述した相違点は、単なる設計事項ではありません。」
イ（ア）そこで、先ず、上記（４）の「引用発明は、３つの層を備えてます。そして、…。このように、３つの層１２〜１４の各々が、様々な位置に配置可能である」との主張について検討する。
　引用文献１において、３つの層１２〜１４は、それぞれ、第１蛍光体層１２（黄色）、第２蛍光体層１３（緑色）、第３蛍光体層１４（赤色）であり、段落【００２５】及び図９（ａ）、（ｂ）、図１０（ｂ）、（ｃ）並びに段落【００２８】及び図１２（ａ）、（ｂ）に記載されているように、（更に技術常識を勘案したとしても、）「３つの層１２〜１４」のうち、「第２蛍光体層１３（緑色）と第３蛍光体層（赤色）」は
セットとして選択される
　
（イ）次に、上記（４）の「３つの層１２〜１４を全て同じ位置に配置し、なお且つその同じ位置というのが拡散板４の上面となるというのは、極めて多数の配置位置候補から、唯一つの配置位置を選ぶということに他ならず」との主張について検討する。
　引用文献１には、層１２〜１４の配置として、(1)導光板７の入光面５に追加する（図１０（ｂ）、（ｃ））、(2)導光板７の上面に設ける（図１１（ａ））、(3)拡散板４の下面に設ける（図１１ｂ））、(4)反射部材６の下面に設ける（図１２（ａ））、(5)反射部材６の下面とともに拡散板４の上面に設ける（図１１（ｂ））構成が開示されている（上記「４（１）引用文献１の記載」の摘記事項オの段落【００２５】、【００２８】を参照。）とともに、段落【００２８】に、「層１２〜１４」は、「拡散板４の上面のみに設けてもよい」と記載されているように、(6)「拡散板の上面のみ」に設ける構成（図示なし）が開示されている。
　したがって、配置位置候補が、上記のように「
極めて多数の
（ウ）よって、請求人の上記主張を採用することはできない。
７　むすび
　以上のとおり、本願発明は、引用発明並びに引用文献２の記載及び周知技術に基づいて当業者が容易に発明をすることができたものであるから、特許法第２９条第２項の規定により特許を受けることができない。
　したがって、本願は、他の請求項に係る発明について検討するまでもなく、拒絶をすべきものである。
　よって、結論のとおり審決する。